(57)【要約】【課題】手間をとらずに簡単にタバコや小物を取り出しする事ができ、タバコの灰や吸殻のポイ捨てを少なくするリストバンド型小物入れを提供する。【解決手段】リストバンドおもて（１）に灰入れケース（２）と小物入れケースａ（３）を設け、小穴（５）にケースストッパａ（４）を固定し、キャップつなぎ（６）をキャップａ（７）につなぎ、バンド接合部凹（８）とバンド接合部凸（１０）を設けたことを特徴とする。【選択図】  図１
2004261546.tif 000002
【特許請求の範囲】
【請求項１】
リストバンドおもて（１）に灰入れケース（２）と小物入れケースａ（３）を設け、小穴（５）にケースストッパａ（４）を固定し、キャップつなぎ（６）をキャップａ（７）につなぎ、バンド接合部凹（８）とバンド接合部凸（１０）を設けたリストバンド型小物入れ。
【発明の詳細な説明】
【０００１】
【発明の属する技術分野】
この発明は、リストバンドに小物を入れるケースを付属して、タバコや携帯灰皿、小物等を入れるリストバンド型小物入れに関するものである。
【０００２】
【従来の技術】
従来、タバコや小物はタバコケース型の入れ物や小物入れ、バック等に収納していた。例えば携帯に適したタバコ収納ケースなども種々発明されているが、それらは多く箱型、ないし袋状であった。
また、衣類の中やアームバンドへの収納でなく、直接手首にリストバンドとして巻きつけて、ここに収納部を形成してタバコを保持するものは知られていなかった。
【０００３】
【特許文献１】
登録実用新案第３００４５２０号公報
【０００４】
【発明が解決しようとする課題】
例えば上記特許文献１にあっては、身体に着脱可能な、サイズを自由に調節できる小物保持用ベルトの技術が開示されている。
この小物保持用ベルトの技術においては、主に取付け用ベルトと小物ホルダの構成要素が、各々面ファスナを貼付することによって係脱可能な構成となっており、一方のベルトは伸縮性のある素材にて形成され、他方小物入れは、鉛筆ホルダ、ボールペンホルダ、小銭入れ、フェルトペンと小ハサミのホルダ及びカードホルダの各用途に向けられた形状が示されている。
しかしながら、上記技術にあっては、例えば鉛筆ホルダやボールペンホルダを１本１本着脱することができず、その用途において制約があり、またその筒状の短辺方向がいずれの端面においても開口しているため、例えば掲記されているアームバンドなどとしての使用で上腕部に巻回させた時など、工事現場などの激しい作業時にあっては、保持したペン類が脱落するおそれがあるものである。
したがって、手首の太さや必要とする用途に応じて、着脱いずれの本数も自由に形成することができ、なおかつ容易には脱落しない小物入れが望まれている。
また、特許文献１の技術では、上記のような理由からタバコなどを保持することもできないものである。
本発明は、以上の問題点を解決するためになされたものである。
【０００５】
【課題を解決するための手段】
リストバンドおもて（１）に灰入れケース（２）と小物入れケースａ（３）を設けて、この灰入れケース（２）と小物入れケースａ（３）にケースストッパａ（４）でリストバンドおもて（１）に固定する。そしてケースストッパａ（４）を小穴（５）に通し、キャップつなぎ（６）をケースストッパａ（４）にとめ、キャップつなぎ（６）をキャップａ（７）につなぎ、リストバンドおもて（１）にバンド接合部凸（１０）を設けて、リストバンドうら（９）にバンド接合部凹（８）を設ける。
本発明は、以上の構成よりなるリストバンド型小物入れである。
【０００６】
【発明の実施の形態】
以下、本発明の実施の形態を説明する。
図１は、本発明におけるもっとも基本的な実施例（リストバンド型小物入れＡ）を示す。
（イ）本皮、合成皮、ナイロン、ビニール、金属、布製のいずれかよりなるリストバンドおもて（１）に金属、プラスチック樹脂、あるいは木製からなる円柱、四角柱、三角柱の灰入れケース（２）と小物入れケースａ（３）を設ける。
（ロ）金属、ナイロン、本皮、合成皮、プラスチック、ビニール、布製のいずれかよりなるケースストッパａ（４）を金属加工された小穴（５）に通して固定する。
（ハ）金属、ゴム、ビニール、本皮、合成皮、布製のいずれかよりなるキャップつなぎ（６）をケースストッパａ（４）に固定して、金属、プラスチック樹脂、ゴム、木製のいずれかよりなるキャップａ（７）に接合する。
（ニ）リストバンドおもて（１）の左端に面ファスナ（雌）（７２）を付属したバンド接合部凸（１０）とリストバンドうら（９）の左端に面ファスナ（雄）（１１）を付属したバンド接合部凹（８）を設ける。
（ホ）バンド接合部凹（８）とバンド接合部凸（１０）に金属、ナイロン、本皮、合成皮、ビニール、布製のいずれかよりなるバンド接合補強紐（１２）をとりつけて、金属、プラスチック、本皮、合成皮、ビニール、あるいは布製からなるリング（１７）を固定する。
本発明は、以上のような構造でこれを使用するときは、手首に巻きつけてリストバンドの両端を固定しておくだけで、次のように小物を収納および取り出し、リストバンドの取り外しができる。
左右にひらかれたリストバンド型小物入れ（Ａ）をどちらかの手首に巻きつけて、面ファスナ（雄）（１１）が付属されたバンド接合部凹（８）と面ファスナ（雌）（７２）が付属したバンド接合部凸（１０）をつなぎ合わせる。そしてリストバンドを巻いていない方の手で小物入れケースａ（３）にかぶったキャップａ（７）をはずしてタバコや小物を入れてキャップａ（７）をかぶせる。他の小物入れケースａ（３）にタバコ（１８）や小物を入れるときはリストバンド型小物入れ（Ａ）を手首まわりの左右どちらかに回転させて小物を収納する。
タバコ（１８）の灰やタバコ吸殻（５９）を捨てるときは、灰入れケース（２）にかぶったキャップａ（７）をはずして灰入れケース（２）に灰や吸殻を入れてキャップａ（７）をかぶせる。タバコ（１８）や小物を取り出すときは、取り出したい小物入れケースａ（３）を手の甲、または手のひらの中心あたりにくるようにリストバンド型小物入れ（Ａ）を手首上にて回転させ、キャップａ（７）をはずし、地上と水平になる位に手首を持ち上げると、小物入れケースａ（３）からタバコ（１８）や小物がでてきて取り出すことが出来る。
図６に示すようにバンド接合補強紐（１２）のとりつけはバンド接合部凸（１０）の中穴ｃ（１５）と中穴ｄ（１６）にバンド接合部凹（８）の中穴ａ（１３）と中穴ｂ（１４）にバンド接合補強紐（１２）を通してリング（１７）で固定する。
【０００７】
【他の実施の形態】
図７に示すように、プラスチック、ゴム、シリコン製からなるキャップｂ（１９）を小物入れケースａ（３）、灰入れケース（２）にキャップｂ（１９）として差し込んで、それらリストバンド型小物入れ（Ａ）の本来的特性を生かして小物入れケースａ（３）の開口部に接合することが可能となり、カプセル（４１）、錠剤（４２）などを収納するときには有効である。
図８は、本発明の構成中、バンドの接合手段の他の実施例を示すもので、ボールチェーン（２７）の左端にチェーンストッパ（５７）を固定し、ボールチェーン（２７）の右端を中穴ａ（１３）、中穴ｃ（１５）、中穴ｄ（１６）中穴ｂ（１４）の順番に通していき、ボールチェーン（２７）の右端をチェーンストッパ（５７）で固定する。そしてチェーンストッパ（５７）で固定されたボールチェーン（２７）の右端を手で引いて、リストバンド型小物入れ（Ａ）がほどよく手首に巻きついたら、チェーンストッパ（５７）で固定されたボールチェーン（２７）の右端をボールチェーン（２７）の左端に固定されたチェーンストッパ（５７）にからませて、フック穴ａ（２８）に固定されたフックａ（２９）に通し、フック穴ｂ（３０）に固定されたフックｂ（３１）にからませる。
図９に示すように、プラスチック樹脂などから小物入れケースを形成した場合、透明、もしくは半透明のものも可能となり、中身が見えて確認できる。また、キャップを接合せずに、タバコを入れる場合はすべり止め（３２）を小物入れケースｂ（２０）の開口内部に固定する。
図１０に示すように、小物入れケースｃ（４０）の先端部分を円盤ａ（３３）、円盤ｂ（３４），円盤ｃ（３５），円盤ｄ（３６），円盤ｅ（３７），円盤ｆ（３８），円盤ｇ（３９）によって積層形成させ、円盤ｇ（３９）に玉（５８）を固定する実施例も可能である。また、図９と同様にキャップをつけない場合はすべり止め（３２）を小物入れケースｃ（４０）の開口内部に固定する。
図１１に示すように、金属、ナイロン、本皮、合成皮、ビニール、布製のいずれかのケースストッパｂ（２１）、の場合、ケースストッパｂ（２１）を小穴（５）に通し、小物入れケースａ（３）にからませて固定し、再びとなりの小穴（５）に通していく。ケースストッパｂ（２１）の最後は、ケースストッパ固定具ａ（２２）で固定する。
図１２に示すように、灰入れケース（２）の底部分に、高分子吸収体などからなる消化剤（２４）を固定することにより、火の後始末も安心できる。
図１３に示すように、プラスチックなどからケースストッパｃ（２５）を形成した実施例にあっては、図３、図１１と方法が異なり、ケースストッパｃ（２５）を小穴（５）に挿入し、ケースストッパ固定具ｂ（２６）で固定する。そしてケースストッパｃ（２５）の左右を開き、小物入れケースａ（３）などを装着する。
図１４に示すように、ゴム入りの布製などからなる伸縮素材のリストバンド（６２）の場合は一環になっているため、手首を通すだけで装着できる。
また、ケース接合面ファスナ（雌）（７８）は小物入れケースａ（３）に接合されており、伸縮素材のリストバンド（６２）に接合されたケース接合面ファスナ（雄）（７９）と固定することができ、着脱が容易になることだけでなく、小物入れケースａ（３）の本数も増減することが可能である。
図１５に示すように、スライドキャップ固定具（４４）により固定されたスライドキャップ（４３）は、スライドキャップ固定具（４４）を中心に左右に回転し、指で瞬時に回転させることができる。なお小物入れケースｄ（６５）の入り口にはゴムなどからなるキャップ接着部（６６）が接合されている。
図１６に示すように、フラップキャップ固定具ａ（４６）とフラップキャップ固定具ｂ（４７）で固定されたフラップキャップ（４５）はフラップキャップストッパ（４８）と接合しており、上下に開閉することができる。
図１７に示すように、キャップネジ化部分（５２）を含むネジキャップ（５１）をネジ化された部分（５３）の小物入れケースｆ（６８）に回転させながら差し込むことができる。
図１８に示すように、磁気を帯びたマグネットボールキャップ（５４）は、鉄製からなる場合の小物入れケースｇ（７１）の開口部分にはめることができる。
図１９は、バンドの接合手段の他の実施例を示すもので、リストバンドおもて（１）に固定されたスナップボタン（雌）（７４）と、リストバンドうら（９）に固定されたスナップボタン（雄）（７５）を設けることにより、バンドを接合することが可能となり、手首の細い人や太い人を問わず、バンドの長さを調節することができる。また、図示しないが、スナップボタン（雌）（７４）、スナップボタン（雄）（７５）の代わりに磁石ボタンプラスと磁石ボタンマイナスを設けることにより、ボタンの着脱がより容易になる。
図２０は、バンドの接合手段の他の実施例を示すもので、バンドの左端、右端にスライドファスナー（７６）とスライドファスナー用スライダー（７７）を形成し、バンド接合の着脱を容易にすることを可能とする。
図２１に示すように、バンドに小穴（５）を複数設けて、ケースストッパｂ（２１）を重なり合わせる（交差結合させる）ことにより、小物入れケースａ（３）の固定を強化することが可能になる。
図２２は、小物入れケースａ（３）に蛍光塗料（８０）を塗布することで、夜道などで、車のライトに反応する。
【０００８】
【発明の効果】
本発明を使用する事によって手軽にタバコや小物を出し入れできる。また携帯灰皿を持ち歩く人が少ないのでこれによって吸殻等のポイ捨てが少なくなりマナーのある喫煙がでる。タバコを少量しか収納することができないので、本数を少なくしたい人などには便利である。
また、本発明は、単に灰皿つきのタバコ収納具としてだけでなく、カプセル剤、錠剤などの携帯用の薬収納具として、紛失しやすい女性のヘアピンホルダなどとして使用することが可能である。さらに氏名、連絡先などを記入した紙などをケースにいれておくことによって、事故などにあったときや子供が迷子になった時などに使用することが可能であり、特にタバコケースのみに用途が限定されるものではない
【図面の簡単な説明】
【図１】本発明の実施例を示す斜視図
【図２】本発明の実施例を示す分解斜視図
【図３】図２の一部拡大図
【図４】本発明のキャップ周辺の部分拡大図
【図５】本発明の使用状態を示す斜視図
【図６】本発明のバンド接合状態を示す斜視図
【図７】本発明における小物入れケースのキャップの他の実施の形態を示す断面図
【図８】本発明におけるバンド接合手段の他の実施の形態を示す斜視図
【図９】本発明の小物入れケースの他の実施の形態を示す断面図
【図１０】本発明の小物入れケースの他の実施の形態を示す断面図
【図１１】本発明の小物入れケース固定手段の他の実施の形態を示す斜視図
【図１２】本発明の灰入れケースの他の実施の形態を示す断面図
【図１３】本発明のケースストッパ関連部の他の実施の形態を示す断面図
【図１４】本発明のリストバンド部分の他の実施の形態を示す斜視図
【図１５】本発明の小物入れケースの他の実施の形態を示す斜視図
【図１６】本発明の小物入れケースの他の実施の形態を示す断面図
【図１７】本発明の小物入れケースの他の実施の形態を示す断面図
【図１８】本発明の小物入れケースの他の実施の形態を示す断面図
【図１９】本発明におけるバンド接合手段の他の実施の形態を示す断面図
【図２０】本発明におけるバンド接合手段の他の実施の形態を示す斜視図
【図２１】本発明の小物入れケース固定手段の他の実施の形態を示す斜視図
【図２２】本発明の小物入れケースの他の実施の形態を示す斜視図
【符号の説明】
Ａ  リストバンド型小物入れ
１  リストバンドおもて
２  灰入れケース
３  小物入れケースａ
４  ケースストッパａ
５  小穴
６  キャップつなぎ
７  キャップａ
８  バンド接合部凹
９  リストバンドうら
１０  バンド接合部凸
１１  面ファスナ（雄）
１２  バンド接合補強紐
１３  中穴ａ
１４  中穴ｂ
１５  中穴ｃ
１６  中穴ｄ
１７  リング
１８  タバコ
１９  キャップｂ
２０  小物入れケースｂ
２１  ケースストッパｂ
２２  ケースストッパ固定具ａ
２３  キャップ接合部
２４  消化剤
２５  ケースストッパｃ
２６  ケースストッパ固定具ｂ
２７  ボールチェーン
２８  フック穴ａ
２９  フックａ
３０  フック穴ｂ
３１  フックｂ
３２  すべり止め
３３  円盤ａ
３４  円盤ｂ
３５  円盤ｃ
３６  円盤ｄ
３７  円盤ｅ
３８  円盤ｆ
３９  円盤ｇ
４０  小物入れケースｃ
４１  カプセル
４２  錠剤
４３  スライドキャップ
４４  スライドキャップ固定具
４５  フラップキャップ
４６  フラップキャップ固定具ａ
４７  フラップキャップ固定具ｂ
４８  フラップキャップストッパ
４９  フラップキャップ（４５）閉状態
５０  ヘアピン
５１  ネジキャップ
５２  キャップネジ化部分
５３  ネジ化された部分
５４  マグネットボールキャップ
５５  キャップｂ（１９）の接合状態
５６  キャップｂ（１９）の挿入を示す矢印
５７  チェーンストッパ
５８  玉
５９  タバコ吸殻
６０  ケースストッパｃ（２５）の開放を示す矢印
６１  小物入れケースａ（３）の挿入を示す矢印
６２  伸縮素材のリストバンド
６３  左右への伸縮を示す矢印
６４  スライドキャップ（４３）の左右の動きを示す矢印
６５  小物入れケースｄ
６６  キャップ接着部
６７  小物入れケースｅ
６８  小物入れケースｆ
６９  ネジキャップ（５１）の閉状態
７０  ネジキャップ（５１）の挿入を示す矢印
７１  小物入れケースｇ
７２  面ファスナ（雌）
７３  ケースストッパａ（４）の挿入を示す矢印
７４  スナップボタン（雌）
７５  スナップボタン（雄）
７６  スライドファスナー
７７  スライドファスナー用スライダー
７８  ケース接合面ファスナ（雌）
７９  ケース接合面ファスナ（雄）
８０  蛍光塗料
【図１】
2004261546.tif 000003
【図２】
2004261546.tif 000004
【図３】
2004261546.tif 000005
【図４】
2004261546.tif 000006
【図５】
2004261546.tif 000007
【図６】
2004261546.tif 000008
【図７】
2004261546.tif 000009
【図８】
2004261546.tif 000010
【図９】
2004261546.tif 000011
【図１０】
2004261546.tif 000012
【図１１】
2004261546.tif 000013
【図１２】
2004261546.tif 000014
【図１３】
2004261546.tif 000015
【図１４】
2004261546.tif 000016
【図１５】
2004261546.tif 000017
【図１６】
2004261546.tif 000018
【図１７】
2004261546.tif 000019
【図１８】
2004261546.tif 000020
【図１９】
2004261546.tif 000021
【図２０】
2004261546.tif 000022
【図２１】
2004261546.tif 000023
【図２２】
2004261546.tif 000024